(57)【要約】【課題】  アマチュア無線への影響を考慮しつつ、高速度の伝送サービスを提供することが可能な通信装置およびその通信方法を提供すること。【解決手段】  コントローラ２２は、送信データの周波数がアマチュア無線の周波数帯にある場合、復調器２０による復調信号に基づいてアマチュア無線が存在するか否かを判定する。そして、アマチュア無線が存在すると判定した場合には、コントローラ２２は、送信データの送信強度が所定値以下となるように変調器１２を制御する。したがって、アマチュア無線が存在しない場合には通常の送信強度でデータを送信することができ、高速度の伝送サービスを提供することが可能となる。【選択図】        図１
2006203536.tif 000002
【特許請求の範囲】
【請求項１】
電話線または電力線を伝送路としてデータ通信を行なう通信装置であって、
送信データを変調するための変調手段と、
前記変調手段によって変調されたデータを送信するための送信手段と、
データを受信するための受信手段と、
前記受信手段によって受信された受信データを復調するための復調手段と、
前記変調手段と前記復調手段とを制御するための制御手段とを含み、
前記制御手段は、前記送信データを送信する周波数がアマチュア無線バンドの周波数帯にある場合、前記受信手段においてアマチュア無線が存在するか否かを判定し、アマチュア無線が存在すると判定した場合に前記アマチュア無線バンドの周波数帯における送信強度が所定値以下となるように前記変調手段を制御する、通信装置。
【請求項２】
前記制御手段は、前記受信手段においてアマチュア無線バンドにおけるノイズレベルの第１のピーク値と、アマチュア無線バンドの両側におけるノイズレベルの第２のピーク値とを取得し、前記第１のピーク値と前記第２のピーク値との差が第１の閾値以上の場合にアマチュア無線が存在すると判定する、請求項１記載の通信装置。
【請求項３】
前記制御手段は、前記受信手段においてアマチュア無線バンドにおけるノイズレベルの第１の平均値と、アマチュア無線バンドの両側におけるノイズレベルの第２の平均値とを取得し、前記第１の平均値と前記第２の平均値との差が第１の閾値以上の場合にアマチュア無線が存在すると判定する、請求項１記載の通信装置。
【請求項４】
前記制御手段は、前記受信手段においてアマチュア無線バンドにおけるノイズレベルのピーク値を取得し、前記ノイズレベルのピーク値が第２の閾値以上の場合にアマチュア無線が存在すると判定する、請求項１記載の通信装置。
【請求項５】
前記制御手段は、前記受信手段においてアマチュア無線バンドにおけるノイズレベルの第１のピーク値と、アマチュア無線バンドの両側におけるノイズレベルの第２のピーク値とを取得し、前記第１のピーク値が第２の閾値以上の場合、または、前記第１のピーク値が前記第２の閾値未満であって、前記第１のピーク値と前記第２のピーク値との差が第１の閾値以上の場合にアマチュア無線が存在すると判定する、請求項１記載の通信装置。
【請求項６】
前記制御手段は、前記受信手段においてアマチュア無線バンドにおけるノイズレベルの第１の平均値と、アマチュア無線バンドの両側におけるノイズレベルの第２の平均値とを取得し、前記第１の平均値が第２の閾値以上の場合、または、前記第１の平均値が前記第２の閾値未満であって、前記第１の平均値と前記第２の平均値との差が第１の閾値以上の場合にアマチュア無線が存在すると判定する、請求項１記載の通信装置。
【請求項７】
前記制御手段は、通信装置の起動時にアマチュア無線の存在を判断する、請求項２〜６のいずれかに記載の通信装置。
【請求項８】
前記制御手段は、所定周期でアマチュア無線の存在を判断する、請求項２〜６のいずれかに記載の通信装置。
【請求項９】
前記制御手段は、所定周期でアマチュア無線バンドにおける送信強度をオフにしてノイズレベルを取得する、請求項２〜８のいずれかに記載の通信装置。
【請求項１０】
前記送信データの周波数帯域に複数のアマチュア無線バンドが存在する場合に、前記制御手段は、複数のアマチュア無線バンドのそれぞれに対してアマチュア無線が存在するか否かを判定し、アマチュア無線が存在すると判定した周波数帯域においてのみ送信強度が所定値以下となるように前記変調手段を制御する、請求項２〜９のいずれかに記載の通信装置。
【請求項１１】
電話線または電力線を伝送路としてデータ通信を行なう通信装置であって、
送信データを変調するための変調手段と、
前記変調手段によって変調されたデータを送信するための送信手段と、
前記電話線または電力線を介してデータを受信するための第１の受信手段と、
前記第１の受信手段によって受信された受信データを復調するための復調手段と、
アマチュア無線の電波を受信するための第２の受信手段とを含み、
前記第２の受信手段により、アマチュア無線が存在すると確認した場合にアマチュア無線バンドの周波数帯における送信強度が所定値以下となるように前記変調手段を制御する、通信装置。
【請求項１２】
前記変調手段および前記復調手段は、周波数が互いに異なる複数の副搬送波を用いたデータ通信に対応可能に構成され、
前記制御手段は、前記送信データを送信する副搬送波の周波数がアマチュア無線バンドの周波数帯にある場合、前記受信手段においてアマチュア無線が存在するか否かを判定し、アマチュア無線が存在すると判定した場合に前記アマチュア無線バンドの周波数帯における送信強度が所定値以下となるように前記変調手段を制御する、請求項２〜１１のいずれかに記載の通信装置。
【請求項１３】
電話線または電力線を伝送路としてデータ通信を行なう通信装置における通信方法であって、
送信する周波数がアマチュア無線バンドの周波数帯にある場合、受信した信号に基づいてアマチュア無線が存在するか否かを判定するステップと、
アマチュア無線が存在すると判定した場合に前記アマチュア無線バンドの周波数帯における送信強度が所定値以下となるように制御するステップとを含む、通信方法。
【発明の詳細な説明】
【技術分野】
【０００１】
本発明は、電話回線または電力線を利用して複数の搬送波を用いてディジタルデータ伝送を行なうｘＤＳＬ（x Digital Subscriber Line）やＨＰＮＡ（Home Phone Line Networking Alliance）などの通信装置に関し、特に、アマチュア無線への影響を考慮した通信装置およびその通信方法に関する。
【背景技術】
【０００２】
近年、インターネットが広く普及しており、利用者は世界各地で運営されているサイトの様々な情報にアクセスし、その情報を入手することが可能である。それに伴って、ＡＤＳＬ（Asymmetric Digital Subscriber Line）、ＦＴＴＨ（Fiber To The Home）などのブロードバンドアクセスに対する要望も急速に高まってきている。
【０００３】
ＡＤＳＬ、ＶＤＳＬ（Very high-bit-rate Digital Subscriber Line）などの通信方式は、ｘＤＳＬと総称されている。また、ｘＤＳＬ以外にもＨＰＮＡなど宅内あるいはビル内の電話回線を利用してデータ伝送を行なう通信方式がある。このような通信方式においては、アマチュア無線に影響を与えないように、アマチュア無線が使用している周波数帯で送信ＰＳＤ（Power Spectrum Density）を−８０ｄＢｍ／Ｈｚ以下にすることが世界標準となっており、日本でも規格化されている。これに関連する文献として、下記の非特許文献１〜７がある。
【０００４】
また、特許文献１（特開２００２−２９０３６１号公報）に記載のマルチキャリア伝送方法においては、ＡＤＳＬ信号（第１伝送信号）を搬送する特定のキャリア（搬送波）が、中波放送波（第２伝送路）に含まれる５９４Ｈｚの中波放送信号（第２伝送信号）に対する妨害波となる場合に、ＡＤＳＬ信号を伝送するＡＤＳＬ局側装置と、受信妨害の影響範囲や電話線（第１伝送路）の敷設状況に基づいて、制御対象とする電話線を指定して特定のキャリアに対する制御を行なう制御手段とを有する伝送装置を電話局に配備する。制御手段からの指示情報によって、ＡＤＳＬ局側装置が特定のキャリアを使用停止にして、妨害波の発生を抑止する。電話線では残りのキャリアを使用してマルチキャリア伝送を行なう。
【特許文献１】特開２００２−２９０３６１号公報
【非特許文献１】ITU-T G.992.1 “Asymmetrical digital subscriber line (ADSL) transceivers”
【非特許文献２】ITU-T G.992.2 “Splitterless asymmetric digital subscriber line (ADSL) transceivers”
【非特許文献３】ITU-T G.993.1 “Very high speed digital subscriber line foundation”
【非特許文献４】ITU-T G.993.1 “International amateur radio bands”
【非特許文献５】ITU-T G.989.1 “Phoneline Networking tranceivers-Foundation”
【非特許文献６】ITU-T G.989.2 “Phoneline Networking tranceivers-Payload format and link layer requirement”
【非特許文献７】ITU-T G.989.3 “Phoneline Networking tranceivers-Isolation function”
【発明の開示】
【発明が解決しようとする課題】
【０００５】
上述したように、ｘＤＳＬ通信方式においては、アマチュア無線に影響を与えないように、アマチュア無線が使用している周波数帯で送信ＰＳＤを−８０ｄＢｍ／Ｈｚ以下にしなければならないが、実際のフィールドではその周波数帯がアマチュア無線で使用されているか否かが分からないため、その周波数帯がアマチュア無線で使用されていると仮定して、ｘＤＳＬ通信装置の動作が行なわれている。すなわち、アマチュア無線の周波数帯域では送信ＰＳＤが一律に−８０ｄＢｍ／Ｈｚ以下に下げられて通信が行なわれている。
【０００６】
したがって、その周波数帯がアマチュア無線で使用されていない場合にも、ｘＤＳＬ通信装置がアマチュア無線で使用される周波数帯域の送信ＰＳＤを下げ、低速度で通信を行なわなければならないといった問題点があった。
【０００７】
また、上述した特開２００２−２９０３６１号公報に開示されたマルチキャリア伝送方法は、制御手段からの指示情報によって、ＡＤＳＬ局側装置が特定のキャリアを使用停止にして、妨害波の発生を抑止するものである。したがって、この技術を用いたとしても、上記問題点を解決することはできない。
【０００８】
本発明は、上記問題点を解決するためになされたものであり、その目的は、アマチュア無線への影響を考慮しつつ、高速度の伝送サービスを提供することが可能な通信装置およびその通信方法を提供することである。
【課題を解決するための手段】
【０００９】
本発明のある局面に従えば、電話線または電力線を伝送路としてデータ通信を行なう通信装置であって、送信データを変調するための変調手段と、変調手段によって変調されたデータを送信するための送信手段と、データを受信するための受信手段と、受信手段によって受信された受信データを復調するための復調手段と、変調手段と復調手段とを制御するための制御手段とを含み、制御手段は、送信データを送信する周波数がアマチュア無線バンドの周波数帯にある場合、受信手段においてアマチュア無線が存在するか否かを判定し、アマチュア無線が存在すると判定した場合にアマチュア無線バンドの周波数帯における送信強度が所定値以下となるように変調手段を制御する。
【００１０】
好ましくは、制御手段は、受信手段においてアマチュア無線バンドにおけるノイズレベルの第１のピーク値と、アマチュア無線バンドの両側におけるノイズレベルの第２のピーク値とを取得し、第１のピーク値と第２のピーク値との差が第１の閾値以上の場合にアマチュア無線が存在すると判定する。
【００１１】
好ましくは、制御手段は、受信手段においてアマチュア無線バンドにおけるノイズレベルの第１の平均値と、アマチュア無線バンドの両側におけるノイズレベルの第２の平均値とを取得し、第１の平均値と第２の平均値との差が第１の閾値以上の場合にアマチュア無線が存在すると判定する。
【００１２】
好ましくは、制御手段は、受信手段においてアマチュア無線バンドにおけるノイズレベルのピーク値を取得し、ノイズレベルのピーク値が第２の閾値以上の場合にアマチュア無線が存在すると判定する。
【００１３】
好ましくは、制御手段は、受信手段においてアマチュア無線バンドにおけるノイズレベルの第１のピーク値と、アマチュア無線バンドの両側におけるノイズレベルの第２のピーク値とを取得し、第１のピーク値が第２の閾値以上の場合、または、第１のピーク値が第２の閾値未満であって、第１のピーク値と第２のピーク値との差が第１の閾値以上の場合にアマチュア無線が存在すると判定する。
【００１４】
好ましくは、制御手段は、受信手段においてアマチュア無線バンドにおけるノイズレベルの第１の平均値と、アマチュア無線バンドの両側におけるノイズレベルの第２の平均値とを取得し、第１の平均値が第２の閾値以上の場合、または、第１の平均値が第２の閾値未満であって、第１の平均値と第２の平均値との差が第１の閾値以上の場合にアマチュア無線が存在すると判定する。
【００１５】
さらに好ましくは、制御手段は、通信装置の起動時にアマチュア無線の存在を判断する。
【００１６】
さらに好ましくは、制御手段は、所定周期でアマチュア無線の存在を判断する。
【００１７】
さらに好ましくは、制御手段は、所定周期でアマチュア無線バンドにおける送信強度をオフにしてノイズレベルを取得する。
【００１８】
さらに好ましくは、送信データの周波数帯域に複数のアマチュア無線バンドが存在する場合に、制御手段は、複数のアマチュア無線バンドのそれぞれに対してアマチュア無線が存在するか否かを判定し、アマチュア無線が存在すると判定した周波数帯域においてのみ送信強度が所定値以下となるように変調手段を制御する。
【００１９】
本発明の別の局面に従えば、電話線または電力線を伝送路としてデータ通信を行なう通信装置であって、送信データを変調するための変調手段と、変調手段によって変調されたデータを送信するための送信手段と、電話線または電力線を介してデータを受信するための第１の受信手段と、第１の受信手段によって受信された受信データを復調するための復調手段と、アマチュア無線の電波を受信するための第２の受信手段とを含み、第２の受信手段により、アマチュア無線が存在すると確認した場合にアマチュア無線バンドの周波数帯における送信強度が所定値以下となるように変調手段を制御する。
【００２０】
好ましくは、変調手段および復調手段は、周波数が互いに異なる複数の副搬送波を用いたデータ通信に対応可能に構成され、制御手段は、送信データを送信する副搬送波の周波数がアマチュア無線バンドの周波数帯にある場合、受信手段においてアマチュア無線が存在するか否かを判定し、アマチュア無線が存在すると判定した場合にアマチュア無線バンドの周波数帯における送信強度が所定値以下となるように変調手段を制御する。
【００２１】
本発明のさらに別の局面に従えば、電話線または電力線を伝送路としてデータ通信を行なう通信装置における通信方法であって、送信する周波数がアマチュア無線バンドの周波数帯にある場合、受信した信号に基づいてアマチュア無線が存在するか否かを判定するステップと、アマチュア無線が存在すると判定した場合にアマチュア無線バンドの周波数帯における送信強度が所定値以下となるように制御するステップとを含む。
【発明の効果】
【００２２】
本発明のある局面によれば、制御手段が、送信データを送信する周波数がアマチュア無線バンドの周波数帯にある場合、受信手段においてアマチュア無線が存在するか否かを判定し、アマチュア無線が存在すると判定した場合にアマチュア無線バンドの周波数帯における送信強度が所定値以下となるように変調手段を制御するので、アマチュア無線が存在しない場合には通常の送信強度でデータを送信することができ、高速度の伝送サービスを提供することが可能となった。
【００２３】
また、制御手段が、受信手段においてアマチュア無線バンドにおけるノイズレベルの第１のピーク値と、アマチュア無線バンドの両側におけるノイズレベルの第２のピーク値とを取得し、第１のピーク値と第２のピーク値との差が第１の閾値以上の場合にアマチュア無線が存在すると判定するので、アマチュア無線の存在の有無を的確に判定することが可能となった。
【００２４】
また、制御手段が、受信手段においてアマチュア無線バンドにおけるノイズレベルの第１の平均値と、アマチュア無線バンドの両側におけるノイズレベルの第２の平均値とを取得し、第１の平均値と第２の平均値との差が第１の閾値以上の場合にアマチュア無線が存在すると判定するので、アマチュア無線の存在の有無を的確に判定することが可能となった。
【００２５】
また、制御手段が、受信手段においてアマチュア無線バンドにおけるノイズレベルのピーク値を取得し、ノイズレベルのピーク値が第２の閾値以上の場合にアマチュア無線が存在すると判定するので、アマチュア無線の存在の有無を的確に判定することが可能となった。
【００２６】
また、制御手段が、受信手段においてアマチュア無線バンドにおけるノイズレベルの第１のピーク値と、アマチュア無線バンドの両側におけるノイズレベルの第２のピーク値とを取得し、第１のピーク値が第２の閾値以上の場合、または、第１のピーク値が第２の閾値未満であって、第１のピーク値と第２のピーク値との差が第１の閾値以上の場合にアマチュア無線が存在すると判定するので、アマチュア無線の存在の有無をさらに的確に判定することが可能となった。
【００２７】
また、制御手段が、受信手段においてアマチュア無線バンドにおけるノイズレベルの第１の平均値と、アマチュア無線バンドの両側におけるノイズレベルの第２の平均値とを取得し、第１の平均値が第２の閾値以上の場合、または、第１の平均値が第２の閾値未満であって、第１の平均値と第２の平均値との差が第１の閾値以上の場合にアマチュア無線が存在すると判定するので、アマチュア無線の存在の有無をさらに的確に判定することが可能となった。
【００２８】
また、制御手段が、通信装置の起動時にアマチュア無線の存在を判断するので、アマチュア無線の存在の有無を的確に判定することが可能となった。
【００２９】
また、制御手段が、所定周期でアマチュア無線の存在を判断するので、アマチュア無線の存在の有無をさらに的確に判定することが可能となった。
【００３０】
また、制御手段が、所定周期でアマチュア無線バンドにおける送信強度をオフにしてノイズレベルを取得するので、ノイズレベルを正確に取得することが可能となった。
【００３１】
また、送信データの周波数帯域に複数のアマチュア無線バンドが存在する場合に、制御手段が、複数のアマチュア無線バンドのそれぞれに対してアマチュア無線が存在するか否かを判定し、アマチュア無線バンドが存在すると判定した周波数帯域においてのみ送信強度が所定値以下となるように変調手段を制御するので、全てのアマチュア無線バンドにおいて送信強度を所定値以下にするよりも、高速の伝送サービスを提供することが可能となる。
【発明を実施するための最良の形態】
【００３２】
以下の実施の形態では、ＤＭＴ（Discrete Multi-Tone：離散マルチトーン）方式のｘＤＳＬ通信方式を例にとって説明するが、他の通信方式においてもこれらに順ずる方法で実施できることは言うまでもない。
【００３３】
（第１の実施の形態）
図１は、本発明の第１の実施の形態における通信装置の概略構成を示すブロック図である。この通信装置は、図示しないコンピュータなどからの入力データを符号化するエンコーダ１１と、エンコーダ１１によって符号化されたデータを変調する変調器（ＩＦＦＴ（Inverse Fast Fourier Transform））１２と、変調器１２によって変調されたパラレルデータをシリアルデータに変換するＰ／Ｓ（Parallel/Serial）コンバータ１３と、Ｐ／Ｓコンバータ１３から出力されたシリアルデータをデジタル信号からアナログ信号に変換するＤＡＣ（Digital Analog Converter）１４と、ＤＡＣ１４から出力されたアナログ信号に応じて信号を増幅するドライバ１５と、電話線または電力線に接続されてデータの送受信を行なうハイブリッド回路１６と、ハイブリッド回路１６によって受信されたデータに応じて信号を制御する低雑音アンプ１７と、低雑音アンプ１７から出力されたアナログ信号をデジタル信号に変換するＡＤＣ（Analog Digital Converter）１８と、ＡＤＣ１８から出力されたシリアルデータをパラレルデータに変換するＳ／Ｐ（Serial/Parallel）コンバータ１９と、Ｓ／Ｐコンバータ１９から出力されたパラレルデータを復調する復調器（ＦＦＴ（Fast Fourier Transform））２０と、復調器２０によって復調されたデータを復号するデコーダ２１と、通信装置全体の制御を行なうコントローラ２２とを含む。
【００３４】
コントローラ２２は、復調器２０から出力されるデータに基づいて、アマチュア無線バンドにおける背景雑音のピーク値および平均値を取得し、これらの値に基づいて周辺のアマチュア無線がその周波数帯を使用しているか否かを判定する。コントローラ２２が、アマチュア無線によってその周波数帯が使用されている可能性があると判定した場合、変調器１２を制御して送信ＰＳＤが−８０ｄＢｍ／Ｈｚ以下になるようにし、低速度で通信を行なうようにする。また、コントローラ２２が、アマチュア無線によってその周波数帯が使用されていないと判定した場合、変調器１２を制御して送信ＰＳＤが通常のレベルとなるようにし、高速度で通信を行なうようにする。
【００３５】
図２は、本発明の第１の実施の形態における通信装置の処理手順を説明するためのフローチャートである。まず、コントローラ２２は、送信用搬送波の周波数帯域がアマチュア無線によって使用される周波数帯になる場合、復調器２０から出力される信号に基づいて、アマチュア無線バンドにおける背景雑音のピーク値を取得して変数１とする（Ｓ１１）。
【００３６】
また、コントローラ２２は、復調器２０から出力される信号に基づいて、アマチュア無線バンドの両側における背景雑音のピーク値を取得して変数２とする（Ｓ１２）。そして、（変数１−変数２）が閾値１以上であるか否かを判定する（Ｓ１３）。
【００３７】
図３は、アマチュア無線ノイズがあるか否かを判定する方法の一例を示す図である。図３（ａ）は、周辺にアマチュア無線ノイズのみが存在する場合を示す図である。アマチュア無線バンドは、１．８１〜２．０ＭＨｚの周波数帯であり、その周波数帯におけるノイズのピーク値を変数１とする。また、１．８１ＭＨｚ以下の所定周波数帯のノイズのピーク値、または２．０ＭＨｚ以上の所定周波数帯のノイズのピーク値を変数２とする。
【００３８】
また、図３（ｂ）は、周辺にアマチュア無線以外の漏話雑音が存在する場合を示す図である。図３（ａ）と比較して、受信側ノイズレベルが全体的に持ち上がっている。
【００３９】
なお、ノイズレベルを取得する際、制御部２２は変調器１２を制御してアマチュア無線バンドにおける送信ＰＳＤをオフにしてノイズレベルを取得する。この処理を一定周期で繰返すことによって、アマチュア無線バンドおよびその両側におけるノイズレベルを取得する。
【００４０】
（変数１−変数２）が閾値１以上であれば（Ｓ１３，Ｙｅｓ）、周辺にアマチュア無線が存在する可能性があるとして、コントローラ２２は変調器１２を制御して、アマチュア無線バンドにおける送信ＰＳＤを−８０ｄＢｍ／Ｈｚ以下（ＲＦＩ(Radio Frequency Interference）オンモード）に切替える（Ｓ１４）。
【００４１】
また、（変数１−変数２）が閾値１未満であれば（Ｓ１３，Ｎｏ）、周辺にアマチュア無線が存在する可能性がないとして、コントローラ２２は変調器１２を制御して、アマチュア無線バンドにおける送信ＰＳＤを通常レベル（通常モード）とする（Ｓ１５）。なお、図３においては閾値１を３ｄＢとしている。
【００４２】
また、ステップＳ１１〜Ｓ１５の処理を順次繰返すことによって、当初存在しなかったアマチュア無線が参入してきた場合でも、それを検出して通信装置の送信ＰＳＤを制御することが可能であるので、アマチュア無線に影響を与えることはない。逆に、通信していたアマチュア無線が通信を終了した場合でも、それを検出して通信装置の送信ＰＳＤを制御することが可能であるので、高速のデータ伝送が可能となる。
【００４３】
以上の説明においては、アマチュア無線バンドにおける背景雑音のピーク値を変数１、アマチュア無線バンドの両側における背景雑音のピーク値を変数２としたが、アマチュア無線バンドにおける背景雑音の平均値を変数１、アマチュア無線バンドの両側における背景雑音の平均値を変数２としてもよい。
【００４４】
以上説明したように、本実施の形態における通信装置によれば、アマチュア無線バンドにおけるノイズのピーク値（平均値）と、アマチュア無線バンドの両側におけるノイズレベルのピーク値（平均値）との差が閾値未満であれば、周辺にアマチュア無線が存在しないと判定して通常レベルで送信を行なうようにしたので、高速度の伝送サービスを提供することが可能となった。
【００４５】
（第２の実施の形態）
本発明の第２の実施の形態における通信装置の概略構成は、図１に示す第１の実施の形態における通信装置の概略構成と比較して、コントローラ２２の機能が異なる点のみが異なる。したがって、重複する構成および機能の詳細な説明は繰返さない。なお、本実施の形態におけるコントローラの参照符号を２２’として説明する。
【００４６】
コントローラ２２’は、復調器２０から出力されるデータに基づいて、アマチュア無線バンドにおける背景雑音のピーク値を取得し、この値に基づいて周辺のアマチュア無線がその周波数帯を使用しているか否かを判定する。コントローラ２２’が、アマチュア無線によってその周波数帯が使用されている可能性があると判定した場合、変調器１２を制御して送信ＰＳＤが−８０ｄＢｍ／Ｈｚ以下となるようにし、低速度で通信を行なうようにする。また、コントローラ２２’が、アマチュア無線によってその周波数帯が使用されていないと判定した場合、変調器１２を制御して送信ＰＳＤが通常のレベルとなるようにし、高速度で通信を行なうようにする。
【００４７】
図４は、本発明の第２の実施の形態における通信装置の処理手順を説明するためのフローチャートである。まず、コントローラ２２’は、送信データの周波数帯域がアマチュア無線によって使用される周波数帯になる場合、復調器２０から出力される信号に基づいて、アマチュア無線バンドにおける背景雑音のピーク値を取得して変数１とする（Ｓ２１）。そして、変数１が閾値２以上であるか否かを判定する（Ｓ２２）。
【００４８】
図５は、アマチュア無線ノイズがあるか否かを判定する方法の他の一例を示す図である。図５（ａ）は、周辺にアマチュア無線ノイズのみが存在する場合を示す図である。アマチュア無線バンドは、１．８１〜２．０ＭＨｚの周波数帯であり、その周波数帯におけるノイズのピーク値を変数１とする。
【００４９】
また、図５（ｂ）は、周辺にアマチュア無線以外の漏話雑音が存在する場合を示す図であり、図５（ａ）と比較して、受信ノイズレベルが全体的に持ち上がっている。また、図５（ｃ）は、周辺のアマチュア無線以外の漏話雑音が更に増大した場合を示す図であり、アマチュア無線ノイズが、アマチュア無線以外の漏話雑音に埋もれているところを示している。
【００５０】
変数１が閾値２以上であれば（Ｓ２２，Ｙｅｓ）、周辺にアマチュア無線が存在する可能性があるとして、コントローラ２２’は変調器１２を制御して、アマチュア無線バンドにおける送信ＰＳＤを−８０ｄＢｍ／Ｈｚ以下（ＲＦＩオンモード）に切替える（Ｓ２３）。
【００５１】
また、変数１が閾値２未満であれば（Ｓ２２，Ｎｏ）、周辺にアマチュア無線が存在する可能性がないとして、コントローラ２２’は変調器１２を制御して、アマチュア無線バンドにおける送信ＰＳＤを通常レベル（通常モード）とする（Ｓ２４）。なお、図５においては閾値２を−１００ｄＢとしている。この閾値２は、実験によって求められる。
【００５２】
また、ステップＳ２１〜Ｓ２４の処理を順次繰返すことによって、当初存在しなかったアマチュア無線が参入してきた場合でも、それを検出して通信装置の送信ＰＳＤを制御することが可能であるので、アマチュア無線に影響を与えることはない。逆に、通信していたアマチュア無線が通信を終了した場合でも、それを検出して通信装置の送信ＰＳＤを制御することが可能であるので、高速のデータ伝送が可能となる。
【００５３】
以上説明したように、本実施の形態における通信装置によれば、アマチュア無線バンドにおけるノイズのピーク値が閾値未満であれば、周辺にアマチュア無線が存在しないと判定して通常レベルで送信を行なうようにしたので、高速度の伝送サービスを提供することが可能となった。
【００５４】
（第３の実施の形態）
本発明の第３の実施の形態における通信装置の概略構成は、図１に示す第１の実施の形態における通信装置の概略構成と比較して、コントローラ２２の機能が異なる点のみが異なる。したがって、重複する構成および機能の詳細な説明は繰返さない。なお、本実施の形態におけるコントローラの参照符号を２２”として説明する。
【００５５】
図６は、本発明の第３の実施の形態における通信装置の処理手順を説明するためのフローチャートである。まず、コントローラ２２”は、送信データの周波数帯域がアマチュア無線によって使用される周波数帯になる場合、復調器２０から出力される信号に基づいて、アマチュア無線バンドにおける背景雑音のピーク値を取得して変数１とする（Ｓ３１）。
【００５６】
次に、コントローラ２２”は、変数１が閾値２以上であるか否かを判定する（Ｓ３２）。変数１が閾値２未満であれば（Ｓ３２，Ｎｏ）、コントローラ２２”は、復調器２０から出力される信号に基づいて、アマチュア無線バンドの両側における背景雑音のピーク値を取得して変数２とする（Ｓ３３）。そして、（変数１−変数２）が閾値１以上であるか否かを判定する（Ｓ３４）。
【００５７】
（変数１−変数２）が閾値１未満であれば（Ｓ３４，Ｎｏ）、周辺にアマチュア無線が存在する可能性がないとして、コントローラ２２”は変調器１２を制御して、アマチュア無線バンドにおける送信ＰＳＤを通常レベル（通常モード）とする（Ｓ３５）。
【００５８】
変数１が閾値２以上と判定された場合（Ｓ３２，Ｙｅｓ）、または変数１が閾値２未満であっても（変数１−変数２）が閾値１以上と判定された場合（Ｓ３４，Ｙｅｓ）には、周辺にアマチュア無線が存在する可能性があるとして、コントローラ２２”は変調器１２を制御して、アマチュア無線バンドにおける送信ＰＳＤを−８０ｄＢｍ／Ｈｚ以下（ＲＦＩオンモード）に切替える（Ｓ３６）。
【００５９】
ステップＳ３１〜Ｓ３６の処理を順次繰返すことによって、当初には存在しなかったアマチュア無線が参入してきた場合でも、それを検出して通信装置の送信ＰＳＤを制御することが可能であるので、アマチュア無線に影響を与えることはない。
【００６０】
以上の説明においては、アマチュア無線バンドにおける背景雑音のピーク値を変数１、アマチュア無線バンドの両側における背景雑音のピーク値を変数２とし、変数１が閾値２未満の場合に（変数１−変数２）が閾値１以上であるか否かを判定したが、アマチュア無線バンドにおけるノイズの平均値を変数１、アマチュア無線バンドの両側におけるノイズレベルの平均値を変数２として同様の手順で判定するようにしてもよい。
【００６１】
以上説明したように、本実施の形態における通信装置によれば、アマチュア無線におけるノイズのピーク値（平均値）が閾値未満であり、かつアマチュア無線バンドにおけるノイズのピーク値（平均値）と、アマチュア無線バンドの両側におけるノイズレベルのピーク値（平均値）との差が閾値未満であれば、周辺にアマチュア無線が存在しないと判定して通常レベルで送信を行なうようにしたので、高速度の伝送サービスを提供することが可能となった。
【００６２】
図７は、ＶＤＳＬ通信装置が使用する周波数帯域にあるアマチュア無線バンドの配置を示す図である。図７においては、１．８１〜２．０ＭＨｚ、３．５〜３．８ＭＨｚ、７．０〜７．１ＭＨｚおよび１０．１〜１０．１５ＭＨｚの４つのアマチュア無線バンドの配置を示しており、それぞれＶＤＳＬ通信装置の下り帯域または上り帯域と重複している。これらのアマチュア無線バンドのそれぞれに対して、第１〜第３の実施の形態において説明した判別方法を適用し、アマチュア無線が使用している可能性がある周波数帯においてのみ送信ＰＳＤを−８０ｄＢｍ／Ｈｚ以下にする。これによって、全てのアマチュア無線バンドにおいて送信ＰＳＤを−８０ｄＢｍ／Ｈｚ以下にするよりも、高速の伝送サービスを提供することが可能となる。
【００６３】
（第４の実施の形態）
図８は、本発明の第４の実施の形態における通信装置の概略構成を示すブロック図である。この通信装置は、図１に示す第１の実施の形態における通信装置の概略構成と比較して、アマチュア無線受信機２３が追加された点、およびコントローラ２２１の機能が異なる点のみが異なる。したがって、重複する構成および機能の詳細な説明は繰返さない。
【００６４】
アマチュア無線受信機２３は、アマチュア無線からの電波を受信して、アマチュア無線によってアマチュア無線バンドを使用されているか否かを判定する。アマチュア無線によってその周波数帯が使用されていると判定した場合、コントローラ２２１は変調器１２を制御して送信ＰＳＤが−８０ｄＢｍ／Ｈｚ以下になるようにし、低速度で通信を行なうようにする。また、アマチュア無線によってその周波数帯が使用されていないと判定した場合、コントローラ２２１は変調器１２を制御して送信ＰＳＤが通常のレベルとなるようにし、高速度で通信を行なうようにする。
【００６５】
以上説明したように、本実施の形態における通信装置によれば、アマチュア無線受信機２３がアマチュア無線からの電波を受信し、周辺にアマチュア無線が存在しないと判定した場合に通常レベルで送信を行なうようにしたので、高速度の伝送サービスを提供することが可能となった。
【００６６】
上述の各実施の形態においては、ＤＭＴ方式のｘＤＳＬ通信方式について説明したが、ｘＤＳＬ通信方式にはＱＡＭ（Quadratic Amplitude Modulation）方式も存在する。ＱＡＭ方式は、周波数帯域を上りおよび下りのバンドに割当て、割当てられたバンド毎に単一の搬送波を用いてデータ伝送を行なう方式である。
【００６７】
ＱＡＭ方式においてアマチュア無線の存在を判定するには、たとえば、所定周期でアマチュア無線バンドが使用していない周波数帯域のみを使用してデータ伝送するモードに切り換え、この間にアマチュア無線バンド近傍における雑音レベルを測定する方法などが考えられる。
【００６８】
今回開示された実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６９】
【図１】本発明の第１の実施の形態における通信装置の概略構成を示すブロック図である。
【図２】本発明の第１の実施の形態における通信装置の処理手順を説明するためのフローチャートである。
【図３】アマチュア無線ノイズがあるか否かを判定する方法の一例を示す図である。
【図４】本発明の第２の実施の形態における通信装置の処理手順を説明するためのフローチャートである。
【図５】アマチュア無線ノイズがあるか否かを判定する方法の他の一例を示す図である。
【図６】本発明の第３の実施の形態における通信装置の処理手順を説明するためのフローチャートである。
【図７】ＶＤＳＬ通信装置が使用する周波数帯域にあるアマチュア無線バンドの配置を示す図である。
【図８】本発明の第４の実施の形態における通信装置の概略構成を示すブロック図である。
【符号の説明】
【００７０】
１１  エンコーダ、１２  変調器、１３  Ｐ／Ｓコンバータ、１４  ＤＡＣ、１５  ドライバ、１６  ハイブリッド回路、１７  低雑音アンプ、１８  ＡＤＣ、１９  Ｓ／Ｐコンバータ、２０  復調器、２１  デコーダ、２２，２２１  コントローラ、２３  アマチュア無線受信機。
【図１】
2006203536.tif 000003
【図２】
2006203536.tif 000004
【図３】
2006203536.tif 000005
【図４】
2006203536.tif 000006
【図５】
2006203536.tif 000007
【図６】
2006203536.tif 000008
【図７】
2006203536.tif 000009
【図８】
2006203536.tif 000010